(57)【特許請求の範囲】
【請求項１】
タイルユニットが複数個、壁面に対し該タイルが縦長となるように張り付けられたタイル壁であって、
該タイルユニットは、複数枚の長方形のタイルが長辺同士の間に目地間隔をあけて１列に配列され、隣接するタイルの長辺同士が連結材で部分的に連結されたものであり、
該タイルは、第１のタイルと、短辺方向の幅が該第１のタイルの短辺方向の幅の６０〜９０％又は１０５〜１３０％となっている第２のタイルの２種類であり、
すべて又は大部分の縦目地は上下方向において不連続であり、
すべての横目地は直線状に連続していることを特徴とするタイル壁。
【請求項２】
短辺方向の幅が同一寸法である複数枚の長方形のタイルが長辺同士の間に目地間隔をあけて１列に配列され、隣接するタイルの長辺同士が連結材で部分的に連結されたタイルユニットが複数個壁面に張り付けられたタイル壁であって、
各タイルユニットは、各タイルが縦長配置にて張り付けられているタイル壁において、
前記タイルユニットのほかに、さらに単独の長方形のタイルが縦長に張り付けられており、この単独のタイルの短辺方向の幅が該タイルユニットのタイルの短辺方向の幅の６０〜９０％又は１０５〜１３０％となっており、
すべて又は大部分の縦目地は上下方向において不連続であり、
すべての横目地は直線状に連続していることを特徴とするタイル壁。
【請求項３】
請求項１又は２において、縦目地間隔が２ｍｍ以下であり、横目地間隔が４〜１０ｍｍであり、
且つ縦目地及び横目地がいずれも空目地であることを特徴とするタイル壁。
【発明の詳細な説明】
【０００１】
【発明の属する技術分野】
本発明は、タイルを張り付けたタイル壁に係り、特に、複数枚のタイルが目地間隔をあけて配置され、隣接するタイル同士が連結用樹脂によって部分的に連結されたタイルユニットを張り付けたタイル壁に関するものである。
【０００２】
【従来の技術】
複数のタイルを連結したタイルユニットを壁面に張り付け施工すると、タイルを１枚ずつ張り付け施工する場合に比べ、施工効率が著しく向上する。このようなタイルユニットとして、複数枚のタイルが縦横に配置され、隣接するタイル同士が連結用樹脂によって部分的に連結されたタイルユニットが広く用いられるようになってきている。
【０００３】
図６はタイル１同士を連結用樹脂２によって連結したタイルユニットの背面図（裏面の正面図）、図７は図６のＡ−Ａ線に沿う断面図である。連結用樹脂２はタイル１の裏面と、タイル１の側辺の裏近傍部との双方に付着している。なお、この従来例にあっては、タイル１は、裏面に複数の裏溝４が形成されている。ただし、これ以外の各種タイルもタイルユニットに用いられている。
【０００４】
このようなタイルユニットを製造するには、図８の通り、定盤３上の所定位置に連結用樹脂２を盛り付け、真空チャック等によってチャックされたタイル１の群を定盤３上に向って下降させ、連結用樹脂２でタイル１同士をつなぐようにする。
【０００５】
【発明が解決しようとする課題】
このようなタイルユニットを用いたタイル施工の省力化を図るために、タイルユニットを弾性接着剤等の接着剤で壁面に張付施工した後に目地詰めを行わないでおく空目地工法が行われることがある。
【０００６】
このような空目地工法によりタイル張りしたタイル壁面においては、目地を通して連結用樹脂が露見するため、連結用樹脂が紫外線等により経率的に変色し、見栄えが悪くなることがある。
【０００７】
この連結用樹脂の劣化を少なくしたり、連結用樹脂が目地間隔を通して視認されにくくなるようにするために、目地間隔を小さくすることが考えられる。
【０００８】
ところが、タイルは焼き物であり、寸法にかなり大きなバラツキがあるため、目地間隔を小さくすると、タイル張り壁面の目地通りが悪くなりがちである。
【０００９】
図５は、この目地通りの悪いタイルユニット張り壁面の一例を示す立面図である。このタイルユニット５は、長方形状のタイル６を長辺同士が隣り合うように１列に並列させ、隣接するタイル６同士を連結用樹脂２によって連結したものである。各タイル６が横長となるようにタイルユニット５が張付施工される。左右のタイルユニット５，５の一番下の目地間隔がずれており、この目地の通りが悪くなっている。この一番下の目地同士を直線状に通すと、それ以外の目地の通りが悪くなる。
【００１０】
本発明は、このような横目地の通りの悪さを解決したタイル壁を提供することを目的とする。
【００１１】
【課題を解決するための手段】
本発明（請求項１）のタイル壁は、タイルユニットが複数個、壁面に対し該タイルが縦長となるように張り付けられたタイル壁であって、該タイルユニットは、複数枚の長方形のタイルが長辺同士の間に目地間隔をあけて１列に配列され、隣接するタイルの長辺同士が連結材で部分的に連結されたものであり、該タイルは、第１のタイルと、短辺方向の幅が該第１のタイルの短辺方向の幅の６０〜９０％又は１０５〜１３０％となっている第２のタイルの２種類であり、すべて又は大部分の縦目地は上下方向において不連続であり、すべての横目地は直線状に連続していることを特徴とするものである。
【００１２】
かかるタイル壁にあっては、縦目地は通らないが、すべての横目地は通ることになる。人間の視覚上、横目地の通りの悪さは、著しく不快に見えるが、縦目地は通っていなくても異和感はない。これは、馬目地等のタイル張りが広く採用されていることからも分るところである。
【００１３】
このタイルユニットにあっては、タイルの長辺同士の間隔は、縦目地通しを考慮する必要がないため、著しく小さくしてもよい。目地間隔を小さくすることにより、連結用樹脂が目立たないようになる。
【００１４】
請求項２のタイル壁は、短辺方向の幅が同一寸法である複数枚の長方形のタイルが長辺同士の間に目地間隔をあけて１列に配列され、隣接するタイルの長辺同士が連結材で部分的に連結されたタイルユニットが複数個壁面に張り付けられたタイル壁であって、各タイルユニットは、各タイルが縦長配置にて張り付けられているタイル壁において、前記タイルユニットのほかに、さらに単独の長方形のタイルが縦長に張り付けられており、この単独のタイルの短辺方向の幅が該タイルユニットのタイルの短辺方向の幅の６０〜９０％又は１０５〜１３０％となっており、すべて又は大部分の縦目地は上下方向において不連続であり、すべての横目地は直線状に連続していることを特徴とするものである。
【００１５】
かかるタイル壁にあっても、縦目地は通らないがすべての横目地は通ったものとなる。
【００１６】
この請求項２のタイル壁に用いられるタイルユニットも、タイル長辺同士の間隔が小さくても良いものとなり、連結用樹脂が目立たないようになる。
【００１７】
本発明のタイル壁にあっては、縦目地間隔が２ｍｍ以下であり、横目地間隔が４〜１０ｍｍであり、且つ縦目地及び横目地がいずれも空目地であることが好ましい。
【００１８】
【発明の実施の形態】
以下、図面を参照して実施の形態について説明する。図１は実施の形態に用いるタイルユニット１０，２０を用いたタイル壁の立面図である。図３，４はこのタイルユニット１０，２０の正面図である。
【００１９】
このタイル壁のタイルユニット１０，２０は、比較的短辺幅の大きな長方形タイル１１と、比較的短辺幅の小さな長方形タイル１２とを連結用樹脂２によって連結して一体化させたものである。このタイルユニット１０，２０は、タイル１１の長辺同士又はタイル１１，１２の長辺同士をごく狭い間隔（例えば０．５〜２ｍｍ好ましくは１〜２ｍｍ）で並列させている。
【００２０】
タイル１２の短辺幅はタイル１１の短辺幅の６０〜９０％とくに６５〜８５％程度であることが好ましい。
【００２１】
タイルユニット１０，２０は、いずれも６枚のタイルを１列に並設したものである。タイルユニット１０にあっては５枚のタイル１１と１枚のタイル１２とを組み合わせている。タイルユニット２０にあっては、４枚のタイル１１と２枚のタイル１２とを組み合わせている。従って、タイルユニット２０の方が寸法が小さいものとなっている。
【００２２】
各タイルユニット１０，２０は、いずれもタイル１１，１２が縦長となるように弾性接着剤等によって張付施工される。この際、横目地が通るようにする。横目地の目地間隔は４〜１０ｍｍとくに５〜８ｍｍ程度が好ましい。
【００２３】
図１では、上段側にあっては左からタイルユニット１０，タイルユニット２０，タイルユニット１０が張付施工され、下段側にあっては、左からタイルユニット２０，タイルユニット２０，タイルユニット２０が張付施工され、左端のタイルユニット１０，２０の左端が揃えられている。この結果、図示の通り、縦目地はすべて通っていないが、横目地は十分に通っており、見栄えが良い。
【００２４】
なお、下段側の右端には短辺幅の小さい１枚の又は複数枚タイル（バラタイル。図示略）を張付施工すればよい。このタイルは、現場にて採寸して切断してもよく、予め各種幅寸法のタイルを用意しておいたものを用いてもよい。
【００２５】
縦目地の通りについて配慮することが不要であるため、タイルユニット１０，２０にあってはタイルの長辺同士の間隔を０．５〜２ｍｍ程度と小さいものにすることができる。これにより、連結用樹脂２が目立たないものとなる。
【００２６】
なお、本発明では、タイルユニットのタイルの枚数は図示のものに限定されない。また、幅の小さいタイル１２を３枚以上用いたタイルユニットを用いてもよい。さらに、一部のタイルユニットをすべて同一寸法のタイルよりなるものとしてもよい。
【００２７】
また、タイル１２の代わりにタイル１１よりも短辺方向幅が大きいものを用いてもよい。この場合、タイル１１の短辺幅の１０５〜１３０％とくに１１０〜１２５％程度の短辺幅とすることが好ましい。
【００２８】
図２は本発明の別の実施の形態に係るタイル壁の立面図である。
【００２９】
このタイル壁では、すべて同一寸法の長方形状のタイル１１のみを連結用樹脂２で連結したタイルユニット３０と、バラタイル３１とを用いている。このタイルユニット３０は、タイル１１を６枚用いているが、これに限定されるものではない。このバラタイル３１の寸法は前記タイル１２同等程度であることが好ましい。
【００３０】
図２の上段側では、左側からタイルユニット３０，バラタイル３１，タイルユニット３０，タイルユニット３０を張付施工し、下段側では、左側からバラタイル３１，タイルユニット３０，バラタイル３１，タイルユニット３０，タイルユニット３０を張付施工している。この際、横目地が通るようにする。各タイルユニット３０及びバラタイル３１は、いずれも縦長となるように配列されている。このバラタイル３１の寸法は、上記タイル１２と同様とされる。
【００３１】
図２の通り、このタイル壁にあっても縦目地は通っていないが、横目地は十分に通っており、美感に優れる。このように、縦目地の通りに配慮することが不要であるため、タイルユニット３０のタイル１１の長辺同士の目地間隔を０．５〜２ｍｍ程度の小さいものとすることができる。
【００３２】
なお、図２の左から７番目の縦目地は上下にほぼ通っている。このように本発明では一部の縦目地が通っていてもよい。
【００３３】
図２のバラタイルの配列は一例であり、図示以外のバラタイルの配列としてもよい。また、バラタイルとして種々の短辺幅寸法のものを用いてもよい。
【００３４】
【発明の効果】
以上の通り、本発明によると、タイルユニットにより空目地にて連結用樹脂の目立たない見栄えのよいタイル壁を構築することが可能となる。また、タイルユニットの目地間隔を小さくし、連結用樹脂の劣化、変色を防止することも可能である。本発明によると、タイルの寸法精度の緩和を図ることもできる。
【図面の簡単な説明】
【図１】  実施の形態に係るタイル壁の立面図である。
【図２】  別の実施の形態に係るタイル壁の立面図である。
【図３】  実施の形態に用いるタイルユニット１０の正面図である。
【図４】  実施の形態に用いるタイルユニット２０の正面図である。
【図５】  従来のタイル壁の立面図である。
【図６】  従来のタイルユニットの裏面図である。
【図７】  図６のＡ−Ａ線に沿う断面図である。
【図８】  タイルユニットの製造法の説明図である。
【符号の説明】
１  タイル
２  連結用樹脂
３  定盤
５  タイルユニット
６  タイル
１０，２０，３０  タイルユニット
１１，１２  タイル
３１  バラタイル
【図１】
0004147734.tif 000002
【図２】
0004147734.tif 000003
【図３】
0004147734.tif 000004
【図４】
0004147734.tif 000005
【図５】
0004147734.tif 000006
【図６】
0004147734.tif 000007
【図７】
0004147734.tif 000008
【図８】
0004147734.tif 000009